【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
ハウジングと、起動機構と、作動機構と、プランジャおよびニードルアセンブリを有するシリンジカートリッジとを備える自動注入器であって、
前記作動機構が、第１の作動スプリングと、第１の作動ピルと、第２の作動スプリングと、第２の作動ピルとを備え、初期構成において、前記第１の作動スプリングが、実質的に前記第１の作動ピルの上部内で圧縮されたエネルギー蓄積状態にあり、前記第２の作動スプリングが、前記第１の作動ピルと前記第２の作動ピルとの間で圧縮されたエネルギー蓄積状態にあり、前記第１の作動ピルが、前記第１の作動ピルの基端に、前記ハウジングの内側基端のロックプラトーと最初に係合する１つ以上のロックフックを有する、自動注入器。
【請求項２】
前記ハウジングが上側ハウジングと下側ハウジングとを備え、前記上側ハウジング、前記下側ハウジング、前記第１の作動ピル、および前記第２の作動ピルが略円筒状である、請求項１に記載の自動注入器。
【請求項３】
前記起動機構が、前記ロックフックを前記ハウジングの前記ロックプラトーから離脱させるように、前記第１の作動ピルの前記１つ以上のロックフックと係合できる、請求項１に記載の自動注入器。
【請求項４】
前記第１の作動ピルおよび前記第２の作動ピルが、前記ハウジング内にあるとともに、前記第１の作動ピルの１つ以上のコネクタ突起と前記第２の作動ピルの１つ以上のそれぞれの接続ブリッジとの間の係合によって互いに取り外し可能に接続されている、請求項１〜３のいずれか一項に記載の自動注入器。
【請求項５】
前記１つ以上のコネクタ突起がそれぞれ、前記ハウジングの内面に沿う長手方向チャネルと接続する突出部を有する、請求項４に記載の自動注入器。
【請求項６】
前記ハウジングの内面上に１つ以上の凹部を更に備え、前記コネクタ突起の前記突出部が前記凹部と接続すると、前記凹部内への前記突出部の拡張により、前記第１の作動ピルの前記１つ以上のコネクタ突起が、前記第２の作動ピルの前記１つ以上のそれぞれの接続ブリッジから離脱できる、請求項５に記載の自動注入器。
【請求項７】
前記シリンジカートリッジが、引き込み可能なニードルを備える引き込み可能なシリンジである、請求項１〜６のいずれか一項に記載の自動注入器。
【請求項８】
前記プランジャが、前記ニードルの引き込みを容易にするように前記ニードルと係合できる、請求項７に記載の自動注入器。
【請求項９】
前記引き込みが付勢部材によって促進される、請求項８に記載の自動注入器。
【請求項１０】
前記プランジャが、スプリングである付勢部材と、プランジャ内部と、プランジャ外部と、１つ以上のロック部材とを備え、前記プランジャ内部および前記プランジャ外部が、前記付勢部材を解放可能に初期のエネルギー蓄積状態に維持するように協働し、引き込み可能なニードルが、前記プランジャ内部によって係合可能なカニューレおよびニードル本体を備える、請求項１〜８のいずれか一項に記載の自動注入器。
【請求項１１】
請求項１〜９のいずれか一項に記載の自動注入器を組み立てる方法であって、該方法が、
（i）第１の作動ピルと第２の作動ピルとの間で第２の作動スプリングを圧縮するとともに、前記第１の作動ピルの１つ以上のコネクタ突起と前記第２の作動ピルの１つ以上のそれぞれの接続ブリッジとを取り外し可能に係合させることによって前記第２の作動スプリングを圧縮されたエネルギー蓄積状態にロックするステップと、
（ii）第１の作動スプリングをハウジング内に挿入するとともに、前記第１の作動ピルの１つ以上のロックフックと前記ハウジングのロックプラトーとを取り外し可能に係合させることによって前記ハウジングと前記第１の作動ピルとの間で前記第１の作動スプリングを圧縮するステップであって、前記第１の作動スプリングが、実質的に前記第１の作動ピルの上部内で圧縮されたエネルギー蓄積状態に最初に維持される、ステップと、
（iii）プランジャとニードルアセンブリとを備えるシリンジカートリッジを、前記プランジャの基端が前記第２の作動ピルと接触するように前記ハウジング内へ挿入するステップとを備える方法。
【請求項１２】
起動機構を前記ハウジングに取り付けるステップを更に備え、前記起動機構が、起動時に前記第１の作動ピルの前記１つ以上のロックフックと接触するように構成されている、請求項１１に記載の方法。
【請求項１３】
請求項１〜９のいずれか一項に記載の自動注入器を動作させる方法であって、該方法が、
（i）第１の作動ピルの１つ以上のロックフックをハウジングのロックプラトーから離脱させるステップであり、そのような離脱により、第１の作動スプリングが、初期のエネルギー蓄積状態からほぼ前記ハウジングの長手方向軸線に沿って拡張できる、ステップと、
（ii）前記第１の作動ピルの１つ以上のコネクタ突起を第２の作動ピルの対応する接続ブリッジから離脱させるステップであり、そのような離脱により、第２の作動スプリングが、初期のエネルギー蓄積状態からほぼ前記ハウジングの長手方向軸線に沿って拡張できる、ステップと、
（iii）プランジャと、カニューレおよびニードル本体を有する引き込み可能なニードルを備えるニードルアセンブリとを備えるシリンジカートリッジの引き込み機構を起動させて、前記引き込み可能なニードルを引き込むステップとを備える方法。
【請求項１４】
前記自動注入器の前記プランジャを動作させて物質を受容体へ送出するステップを更に備える、請求項１３に記載の方法。
【請求項１５】
ステップ（i）の前に、起動機構のロックを解除して、前記起動機構を起動させるステップを更に備える、請求項１３に記載の方法。
【請求項１６】
ハウジングと、起動機構と、作動機構と、プランジャおよびニードルアセンブリを有するシリンジカートリッジとを備える自動注入器であって、
前記作動機構が、第１の作動スプリングと、第１の作動ピルと、第２の作動スプリングと、第２の作動ピルとを備え、初期構成において、前記第１の作動スプリングが、実質的に前記第１の作動ピルの上部内で圧縮されたエネルギー蓄積状態にあり、前記第２の作動スプリングが、前記第１の作動ピルと前記第２の作動ピルとの間で圧縮されたエネルギー蓄積状態にあり、前記シリンジカートリッジが、引き込み可能なニードルアセンブリを備える引き込み可能なシリンジであり、前記プランジャが、前記引き込み可能なニードルアセンブリの引き込みを容易にするように前記引き込み可能なニードルアセンブリと係合できる、自動注入器。
【請求項１７】
前記ハウジングが上側ハウジングと下側ハウジングとを備え、前記上側ハウジング、前記下側ハウジング、前記第１の作動ピル、および前記第２の作動ピルが略円筒状である、請求項１６に記載の自動注入器。
【請求項１８】
前記第１の作動ピルおよび前記第２の作動ピルが、前記ハウジング内にあるとともに、前記第１の作動ピルの１つ以上のコネクタ突起と前記第２の作動ピルの１つ以上のそれぞれの接続ブリッジとの間の係合によって互いに取り外し可能に接続される、請求項１６または１７に記載の自動注入器。
【請求項１９】
前記１つ以上のコネクタ突起がそれぞれ、前記ハウジングの内面に沿う長手方向チャネルと接続する突出部を有する、請求項１８に記載の自動注入器。
【請求項２０】
前記ハウジングの内面上に１つ以上の凹部を更に備え、前記コネクタ突起の前記突出部が前記凹部と接続すると、前記凹部内への前記突出部の拡張により、前記第１の作動ピルの前記１つ以上のコネクタ突起が、前記第２の作動ピルの前記１つ以上のそれぞれの接続ブリッジから離脱できる、請求項１９に記載の自動注入器。
【請求項２１】
前記引き込み可能なニードルアセンブリの引き込みが付勢部材によって促進される、請求項１６〜２０のいずれか一項に記載の自動注入器。
【請求項２２】
前記プランジャが、スプリングである付勢部材と、プランジャ内部と、プランジャ外部と、１つ以上のロック部材とを備え、前記プランジャ内部および前記プランジャ外部が、前記付勢部材を解放可能に初期のエネルギー蓄積状態に維持するように協働し、前記引き込み可能なニードルが、前記プランジャ内部によって係合可能なカニューレおよびニードル本体を備える、請求項１６〜２０のいずれか一項に記載の自動注入器。